(57)【要約】      （修正有）【課題】電気を使用することなく容易に使用でき、有機肥料化ができ、しかも、排液の臭いの対策もなしうる手動生ごみ処理器を提供する。【解決手段】発酵促進用の放線菌のついた落ち葉と生ごみを投入して攪拌する攪拌槽と、攪拌槽の下部に脱着可能に連結されて混合した結果生じる混合液を液肥として貯留する貯留槽１４と、貯留槽１４を受け入れて外部から支持して転倒を防止する受け台１６と有し、攪拌槽は、頂部に設置された蓋１８と、蓋１８に形成された通気孔２０と、底部に設置された金網２２と、攪拌槽を貫通する攪拌棒２８と、攪拌棒２８の上端部に取り付けられた手動回転用の攪拌ハンドル３０と、攪拌棒２８に取り付けられた複数の攪拌刃３２，３４とを有し、貯留槽１４は、攪拌棒２８の下端に吊り下げ保持された混合液攪拌棒６４と、貯留槽１４の側壁上部に形成された通気孔４８と、貯留槽１４の側壁下部に形成された開閉可能な排水孔５０とを有する。【選択図】図１
0003148983.tif 000002
【実用新案登録請求の範囲】
【請求項１】
発酵促進用の放線菌のついた落ち葉と生ごみを投入して攪拌する攪拌槽と、前記攪拌槽の下部に脱着可能に連結されて前記攪拌槽で攪拌した放線菌のついた落ち葉と生ごみを混合した結果生じる混合液を液肥として貯留する貯留槽と、前記貯留槽を受け入れて外部から支持して転倒を防止する受け台とを有し、
前記攪拌槽は、頂部に設置された蓋と、前記蓋に形成された通気孔と、底部に設置された金網と、上下の軸受け部に支持された前記攪拌槽を貫通する攪拌棒と、前記攪拌棒の上端部に取り付けられた手動回転用の攪拌ハンドルと、前記攪拌棒に取り付けられた複数の攪拌刃とを有し、
前記貯留槽は、前記貯留槽の側壁上部に形成された通気孔と、前記貯留槽の側壁下部に形成された開閉可能な排水孔とを有することを特徴とする手動生ごみ処理器。
【請求項２】
請求項１において、
前記貯留槽内には、袋入りの土が収容され、この袋入りの土を混合液に浸して乾燥させることで肥料として利用することを特徴とする手動生ごみ処理器。
【請求項３】
請求項１または２において、
前記貯留槽は、前記攪拌棒の下端にチェーンにて吊り下げ保持された混合液攪拌用の混合液攪拌棒を有することを特徴とする手動生ごみ処理器。
【請求項４】
請求項１〜３のいずれかにおいて、
前記攪拌槽及び貯留槽の各通気孔には、不織布が配設されることを特徴とする手動生ごみ処理器。
【考案の詳細な説明】
【技術分野】
【０００１】
本考案は、手動生ごみ処理器に関し、特に、発酵促進用の放線菌のついた落ち葉と生ごみを投入処理するのに適した手動生ごみ処理器に関する。
【背景技術】
【０００２】
近年、地球の温暖化による影響が問題視され、地球に優しいエコロジー対策が叫ばれている。
【０００３】
地球の温暖化問題の一つとして、二酸化炭素の発生量の増加があり、その削減は世界的な問題となっている。
【０００４】
二酸化炭素の発生量の削減の一つに都市における生ごみの減量化が上げられ、生ごみの減量化と有機肥料化は急務と考えられる。
【０００５】
これまでの家庭用の生ごみ処理器は、電気を用いる方式のものや、コンポストが一般的であった。
【０００６】
電気を用いる方式のものは、電気により温度を上げて発酵を早くしたり、温風により水分を早く乾燥させて臭気をなくす方式のものが一般的であり、コスト的に効果となり、電力も多く必要とすることから、エコロジーの問題としては貢献度が低い。
【０００７】
コンポストによる場合には、地面を必要とすることから、マンションなどの集合住宅においては用いることができないという不都合がある。
【０００８】
このため、特許文献１に示すような手動式の生ごみ処理器なども種々提案されてきている。
【特許文献１】実用新案登録第３０３００２５号公報
【考案の開示】
【考案が解決しようとする課題】
【０００９】
このような手動式の生ごみ処理器にあっては、生ごみを土壌改良剤とともに容器に入れて攪拌することで、空気を積極的に取り入れて好気性菌の活動を活発にして生ごみの発酵を促進させるものであるが、発酵途中で発生する混合液については、後処理を施すことなく、そのまま排出するようになっており、排出液のにおいに対する問題が生じることとなる。
【００１０】
本考案の目的は、電気を使用することなく、マンション等の集合住宅でも容易に使用でき、生ごみの減量化、有機肥料化ができ、しかも、排液の臭いの対策もなしうる手動生ごみ処理器を提供することにある。
【課題を解決するための手段】
【００１１】
前記目的を達成するため、本考案の手動生ごみ処理器は、発酵促進用の放線菌のついた落ち葉と生ごみを投入して攪拌する攪拌槽と、前記攪拌槽の下部に脱着可能に連結されて前記攪拌槽で攪拌した放線菌のついた落ち葉と生ごみを混合した結果生じる混合液を液肥として貯留する貯留槽と、前記貯留槽を受け入れて外部から支持して転倒を防止する受け台とを有し、
前記攪拌槽は、頂部に設置された蓋と、前記蓋に形成された通気孔と、底部に設置された金網と、上下の軸受け部に支持された前記攪拌槽を貫通する攪拌棒と、前記攪拌棒の上端部に取り付けられた手動回転用の攪拌ハンドルと、前記攪拌棒に取り付けられた複数の攪拌刃とを有し、
前記貯留槽は、前記貯留槽の側壁上部に形成された通気孔と、前記貯留槽の側壁下部に形成された開閉可能な排水孔とを有することを特徴とする。
【００１２】
本考案によれば、発酵促進用の放線菌のついた落ち葉と生ごみを攪拌槽に投入して手動回転用のハンドルを用いて攪拌刃を回転させて攪拌することで、発酵を促進し、生ごみの減量化と有機肥料化を確実になしえ、しかも、発酵途中に生じる混合液は貯留層に貯留して液肥として使用することができ、混合液が臭気を生ぜず、しかも、液肥として使用する必要がない場合には、貯留槽の排水孔を開いて外部に排出することができ、混合液の後処理も確実に行うことができ、エコロジーに有効に寄与することが可能となる。
【００１３】
本考案においては、前記貯留槽内には、袋入りの土が収容され、この袋入りの土を混合液に浸して乾燥させることで肥料として利用することができる。
【００１４】
このような構成とすることにより、袋入りの土に混合液を浸して乾燥させることで、液肥を有機肥料土として使用することが可能となる。
【００１５】
本考案においては、前記貯留槽は、前記攪拌棒の下端にチェーンにて吊り下げ保持された混合液攪拌用の混合液攪拌棒を有するものとすることができる。
【００１６】
このような構成とすることにより、混合液攪拌棒の回転により混合液を攪拌して空気と接触させることで、混合液の発酵を促進し、無臭の混合液とすることができ、液肥として用いる場合のみならず、土に浸透させて有機肥料土とする場合、あるいは、そのまま外部に排出する場合にも臭気発生の問題をなくすことができる。
【００１７】
本考案においては、前記攪拌槽及び貯留槽の各通気孔には、不織布が配設されるようにすることができる。
【００１８】
このような構成とすることにより、攪拌槽及び貯留層内に虫が入り込むのを防止して、蚊やハエの発生を防止することができる。
【考案を実施するための最良の形態】
【００１９】
以下、本考案の好適な実施の形態について、図面を参照して説明する。
【００２０】
図１〜図５は、本考案の一実施の形態にかかる手動生ごみ処理器を示す図である。
【００２１】
図１は、本実施の形態にかかる手動生ごみ処理器の全体縦断面図である。
【００２２】
この手動生ごみ処理器１０は、攪拌槽１２と、貯留槽１４と、受け台１６とを有している。
【００２３】
攪拌槽１２は、発酵促進用の放線菌のついた落ち葉と生ごみを投入して攪拌するもので、頂部に設置された蓋１８と、蓋１８に形成された通気孔２０と、底部に設置された金網２２と、上下の軸受け部２４、２６に支持された攪拌槽１２を貫通する攪拌棒２８と、攪拌棒２８の上端部に取り付けられた手動回転用の攪拌ハンドル３０と、攪拌棒２８に取り付けられた複数の攪拌刃３２、３４とを有している。
【００２４】
攪拌槽１２自体は、市販の一般のＦＲＰポリエチレン容器の底を抜いた状態のものとなっており、壊れた場合には容易に交換できるようになっている。
【００２５】
また、攪拌槽１２は側壁を二重構造とし、内側に詰まり防止のため直径１０ｍｍの多数の孔３６を形成した通気壁３８を配設し、横側からも必要な空気が取り入れられるようになっている。
【００２６】
蓋１８は、前述の一般のＦＲＰポリエチレン容器に付随している蓋を用いている。
【００２７】
また、蓋１８と攪拌槽１２とは、攪拌時に互いに回転しないように、かつ脱着可能になるよう攪拌棒２８の上部は円形で蓋１８を貫通している。
【００２８】
通気孔２０は、蓋１８の適所に複数、例えば８個形成し、各通気孔２０には虫除けに不織布４０を取り付けている。
【００２９】
これによって、攪拌槽１２に対するハエ、蚊などの虫の寄り付き、発生を防止することができる。
【００３０】
金網２２は、図４にも示すように、５ｍｍ目のステンレス製のものを用いている。
【００３１】
これは、パンチングメタル等よりもよく混合物を分解できるようにするためである。
【００３２】
攪拌棒２８は、ステンレス製のもので、図２にも示すように、攪拌槽１２の上部に配設したステンレス製の支持アーム４２に取り付けた上部側の軸受け部２４と、図４にも示すように、攪拌槽１２の下部に配設した２本のステンレス棒４４に取り付けた下部側の軸受け部２６とにより軸支され、攪拌槽１２のほぼ中心位置で上下方向に貫通した状態となっている。
【００３３】
また、この攪拌棒２８は、攪拌刃３２、３４を取り付けやすくするために６角形に形成されている。
【００３４】
手動回転用の攪拌ハンドル３０は、ステンレス製のもので、図３に示すように、リング状とされ、しかも、冬場などのように攪拌力が大きく必要な場合でも、操作力が小さくて済むように、直径を受け台１６の直径とほぼ同程度に大きく設定してある。
【００３５】
また、この攪拌ハンドル３０は、攪拌棒２８の頂部に脱着部４６を介して脱着可能にされている。
【００３６】
複数の攪拌刃３２、３４は、ステンレス鍛造製のもので、ごみを切削するようになっている。
【００３７】
上部２本の攪拌刃３２は、図１に示すように、攪拌時の抵抗を考慮して水平より先端が下がるように、１５度の角度をつけて攪拌棒２８に取り付け、混合物を跳ね上げて空気が良く入るようにしている。
【００３８】
底部の攪拌刃３４は、水平状態で攪拌棒２８に取り付けられ、落ち葉等の攪拌物を金網２２にこすり付けて水分を絞りだせるようにしている。
【００３９】
貯留槽１４は、取り扱いが便利なように、攪拌槽１２の下部に脱着可能に連結されて、攪拌槽１２で攪拌した放線菌のついた落ち葉と生ごみを混合した結果生じる混合液を液肥として貯留するもので、貯留槽１４の側壁上部に形成された通気孔４８と、貯留槽１４の側壁下部に形成された開閉可能な排水孔５０とを有する。
【００４０】
貯留槽１４自体は、攪拌槽１２と同様に、市販の一般のＦＲＰポリエチレン容器のものとなっており、壊れた場合には容易に交換できるようになっている。
【００４１】
また、この貯留槽１４は、攪拌槽１２の下部に脱着可能に連結されている。
【００４２】
さらに、貯留槽１４と攪拌槽１２とは、攪拌刃３２、３４の回転時に攪拌槽１２が回転しないようにボルト止めしておくのが望ましい。
【００４３】
通気孔４８は、貯留槽１４の側壁上部の適所に複数、例えば８個形成し、各通気孔４８には虫除けに不織布４０を取り付けている。
【００４４】
これによって、貯留槽１４に対するハエ、蚊などの虫の寄り付き、発生を防止することができる。
【００４５】
排水孔５０は、貯水槽１４の下部側面にビニールソケット５２を取り付けて形成し、その排水孔５０にゴム栓５４を取り付け、所定時間、例えば２週間ごとにゴム栓５４をはずして混合液を抜くことができるようにしている。
【００４６】
受け台１６は、貯留槽１４を受け入れて外部から支持し、転倒を防止するためのもので、図５にも示すように、貯留槽１４の側壁上部に装着されるリング状の装着部５６と、貯留槽１４の底部側にあって転倒を防止するためのリング状の安定部５８と、これら装着部５６及び安定部５８を連結する複数の脚部６０とを有している。
【００４７】
安定部５８は、安定性を高めるため、装着部５６よりも大きな直径のものとされている。
【００４８】
脚部６０は、攪拌時に安定部５８を足で踏んで回転を阻止できるよう３本に設定されている。
【００４９】
このように、本実施の形態によれば、発酵促進用の放線菌のついた落ち葉と生ごみを攪拌槽１２に投入して手動回転用の攪拌ハンドル３０を用いて攪拌刃３２、３４を回転させて攪拌することで、発酵を促進し、生ごみの減量化と有機肥料化を確実になしえ、しかも、発酵途中に生じる混合液は貯留層１４に貯留して液肥として使用することができ、混合液が臭気を生ぜず、しかも、液肥として使用する必要がない場合には、貯留槽１４の排水孔５０のゴム栓５４を抜いて外部に排出することができ、混合液の後処理も確実に行うことができ、エコロジーに有効に寄与することが可能となる。
【００５０】
また、本実施の形態においては、貯留槽内１４に、袋入りの畑土等の土を収容し、この袋入りの土を混合液に浸して乾燥させることで肥料として利用することができるようになっている。
【００５１】
この肥料土の利用のみに手動ごみ処理器１０を用いる場合には、排水孔５０を形成しなくとも良い。
【００５２】
このように、袋入りの土に混合液を浸して乾燥させることで、液肥を有機肥料土として使用することが可能となる。
【００５３】
さらに、本実施の形態においては、貯留槽１２は、攪拌棒２８の下端にチェーン６２にて混合液攪拌用のステンレス製の混合液攪拌棒６４を吊り下げ保持して、攪拌刃３２、３４の回転とともに混合液攪拌棒６４を回転可能にしている。
【００５４】
このように、混合液攪拌棒６４の回転により混合液を攪拌して空気と接触させることで、混合液の発酵を促進し、無臭の混合液とすることができ、液肥として用いる場合のみならず、土に浸透させて有機肥料土とする場合、あるいは、そのまま外部に排出する場合にも臭気発生の問題をなくすことができる。
【００５５】
次に、このような手動ごみ処理器１０の使用状態について説明する。
【００５６】
まず、攪拌槽１２に生ごみと落ち葉を投入して攪拌する。
【００５７】
落ち葉は、２〜３年経過したもので、発酵を促進する放線菌がついたものを用いる。
【００５８】
一日に１回、如雨露で微生物（放線菌）入りの水を散水後、攪拌ハンドル３０により攪拌槽１２内の混合物を左右に数回ずつ回転させる。
【００５９】
この場合、回転させないと臭気が生じるので忘れずに回転操作を行う。
【００６０】
これによって、落ち葉は生ごみの臭気をとり、回転、攪拌によって空気が混入して発酵が促進される。
【００６１】
また、散水の量によって、臭気がなくなるため、虫、特にハエ対策がなしえ、通気孔２０に設けた不織布４０によって、ハエ、蚊等の虫の侵入が防止され、その結果、虫の発生も防止できることとなる。
【００６２】
投入する生ごみ量は、例えば７００ｇで、常に生ごみの上に新しい落ち葉が載るようにすると臭いが出ない。
【００６３】
生ごみとしては、一般の家庭用電気式生ごみ処理器と同様に、貝殻、卵の殻、太い動物の骨、紙、プラスチックは分解されず、動物の糞尿は大腸菌があるため使用しないこととする。
【００６４】
発酵が始まると、混合物は水分（液肥）になる。
【００６５】
微生物の活動が気温に左右されるため、分解は、夏季は早く、冬季は遅くなる。
【００６６】
都心の日当たりのベランダ、寒冷地のビニールハウスの中でも発酵する。
【００６７】
それらは、底部の金網２２を通して、貯留槽１４に溜められる。
【００６８】
一般の家庭用生ごみ処理器では、稼動を始めると肥料ができすぎて処理に困るものである。
【００６９】
この種の生ごみ処理器では、生ごみを分解するだけで、その後処理が簡単にできていない。
【００７０】
本実施の形態における手動生ごみ処理器では、次のような３通りの処理方法を行うことができる。
【００７１】
第１に、下水処理である。
【００７２】
これは、貯留槽１４内に貯留された混合液を約２週間後、下水管に放流する処理方法である。
【００７３】
この場合、微生物の働きにより油分が分解しているので、下水管が詰まることがない。
【００７４】
第２に、肥料処理である。
【００７５】
これは、例えば畑土を袋詰め（土嚢袋）にして貯留層１４に入れ、混合液（液肥）を含浸させた後、乾燥させて、肥料として用いる処理方法である。
【００７６】
これは、虫のいない季節、１０月〜翌年３月が適している。
【００７７】
第３に、再使用である。
【００７８】
これは、混合液は１００日以上経ると、無臭となり、再び放線菌入りの水として再使用する処理方法である。
【００７９】
混合液はかき回して空気を入れれば、無臭となる期間を短縮することができる。手動生ごみ処理器１０を用いてかき回す場合には、攪拌槽に生ごみを投入せずに行うと良い。
【００８０】
これらのいずれかの処理方法を適宜組み合わせて行うことで、生ごみ分解後の後処理を簡単かつ有効に行うことが可能となる。
【００８１】
本考案は、前記実施の形態に限定されるものではなく、本考案の要旨の範囲内において種々の形態に変形可能である。
【００８２】
例えば、前記実施の形態では、攪拌槽及び貯留槽にＦＲＰポリエチレンを採用しているが、この例に限定されるものではなく、種々の材質のものを採用することができる。
【図面の簡単な説明】
【００８３】
【図１】本考案の一実施の形態にかかる手動生ごみ処理器を示す縦断面図である。
【図２】図１のII−II線に沿う断面図である。
【図３】図１の攪拌ハンドルの平面図である。
【図４】図１のIV−IV線に沿う断面図である。
【図５】図１のＶ−Ｖ線に沿う断面図である。
【符号の説明】
【００８４】
１０  手動生ごみ処理器
１２  攪拌槽
１４  貯留槽
１６  受け台
１８  蓋
２０、４８  通気孔
２４、２６  軸受け部
２８  攪拌棒
３０  攪拌ハンドル
３２，３４  攪拌刃
４０  不織布
５０  排水孔
６２  チェーン
６４  混合液攪拌棒
【図１】
0003148983.tif 000003
【図２】
0003148983.tif 000004
【図３】
0003148983.tif 000005
【図４】
0003148983.tif 000006
【図５】
0003148983.tif 000007